(57)【要約】【課題】  柱支持ブラケットが室内側に露出することがなく、床スペースを狭くしない折り畳み式ユニットハウスを提供する。【解決手段】  床フレーム１と、前記床フレームに回動可能に取り付けられた柱フレーム２と、前記柱フレームの上部に着脱可能に取り付けられた屋根フレームとからなる折り畳み式ユニットハウスにおいて、前記柱フレーム２を支持する柱支持部５を床フレーム１に一体に設け、前記柱フレーム２の内部に柱支持部５を収容すると共に、前記柱フレーム２が柱支持部５に対して回動可能に取り付けられている。【選択図】  図６
2005248547.tif 000002
【特許請求の範囲】
【請求項１】
床フレームと、前記床フレームに回動可能に取り付けられた柱フレームと、前記柱フレームの上部に着脱可能に取り付けられた屋根フレームとからなる折り畳み式ユニットハウスにおいて、
前記柱フレームを支持する柱支持部を床フレームに一体に設け、
前記柱フレームの内部に柱支持部を収容すると共に、前記柱フレームが柱支持部に対して回動可能に取り付けられていることを特徴とする折り畳み式ユニットハウス。
【請求項２】
前記床フレームの外側側面に設けられたネジ孔と、前記柱フレームの外側側面に設けられた貫通孔と、前記ネジ孔と螺合するボルトとを備え、
前記貫通孔を介して前記ボルトをネジ孔に螺合させることにより、起立状態の柱フレームを床フレームに固定することを特徴とする請求項１に記載された折り畳み式ユニットハウス。
【請求項３】
屋根フレームに設けられたネジ孔と、前記床フレームのネジ孔、屋根フレームのネジ孔と螺合するボルトとを備え、
折り畳まれた状態の柱フレームの上に屋根フレームを載置し、前記ボルトを屋根フレームのネジ孔に螺合させることにより、床フレームと屋根フレームとを一体化することを特徴とする請求項２に記載された折り畳み式ユニットハウス。
【発明の詳細な説明】
【技術分野】
【０００１】
本発明は、折り畳み式ユニットハウスに関するものである。
【背景技術】
【０００２】
折り畳み式ユニットハウスは、一般的に、左右の妻パネルを折り畳み、その上に屋根を積重固定することにより、運搬容易な扁平形状となすことができ、また前記屋根を取はずし、左右の妻パネルを起立させ、そのうえに屋根を載置固定し、後壁となるパネルや扉パネル等を組み込むことで家屋を構成している。
この折り畳み式ユニットハウスの構造について、本願出願人は、特許文献１（実開平５−５８７０６号公報）に示された構造を提案している。この特許文献１に示された折り畳み式ユニットハウスの構造を図８乃至図１０に基づいて説明する。尚、図８は、従来の折り畳みユニットハウスの組み立て状態を示すであって、室内側から見た一部正面図であり、図９は、従来の折り畳みユニットハウスの床を示す図であって、（ａ）は平面図、（ｂ）は正面図であり、図１０は、従来の折り畳みユニットハウスの柱支持ブラケットを示す図であって、（ａ）は正面図、（ｂ）は側面図である。
【０００３】
図８において、符号３１は床、３２は前記床３１の四隅に立設した柱支持ブラケット、３３は妻パネルである。この妻パネル３３は２本の柱３４，３４の間に取り付けられ、固定されている。前記柱３４、３４は、前記柱支持ブラケット３２に回転可能に回転軸３５にて軸着され、前記妻パネル３３および柱３４は床３１に対して起倒可能に取り付けられている。なお、前記妻パネル３３には、必要に応じて、適宜、窓サッシュ３６あるいはドアサッシュ等が設けられている。
【０００４】
また、前記床３１は、図９に示すように前後左右の床フレーム３１ｂと複数の根太３１ｃとによって形成された床骨格３１ａと、前記床骨格３１ａ上に敷設された床パネル３１ｄとから構成されている。尚、図９中、床パネル３１ｄは、省略されている。
また、前記床骨格３１ａの四隅には前記柱支持ブラケット３２が立設され、また前後の床フレーム３１ｂの中央よりの位置には、前後各２個合計４個のライナプレート３１ｅが固着されている。
【０００５】
また、前記柱支持ブラケット３２には、図８、図１０に示すように、回転軸３５が挿通する回転軸穴３７と、起立状態保持用のピン３８を挿し込むためのピン穴３９とが上下に所定間隔をもって設けられている。また、床骨格３１ａの端面には取付穴４０が設けられ、ボルト４１にて、柱３４を起立状態に固定することができるように構成されている。
【０００６】
このように構成された折り畳み式ユニットハウスにあっては、折り畳まれた状態から、妻パネル３３を回転軸３５を中心として回動させて起立させ、ピン３８をピン穴３９に入れて、妻パネル３３を起立状態に保持させる。そして、前記ボルト４１を取り付け穴４０に締付固定することによって、柱３４を起立状態に固定する。その後、屋根パネル等のパネルの取り付けが行なわれる。
【０００７】
一方、組み立てられた状態にある折り畳み式ユニットハウスを折り畳むには、屋根などのパネルを取り外し、柱３４を起立状態に固定しているボルト４１を取付穴４０から取り外す。更に、ピン３８をピン穴３９から取り外し、妻パネル３３を回動自在になす。その後、妻パネル３３を起立状態から略水平状態になし、その上に屋根パネルを載置し、図示しない連結具により、一体化する。
【０００８】
【特許文献１】実開平５−５８７０６号公報
【発明の開示】
【発明が解決しようとする課題】
【０００９】
ところで、従来の柱支持ブラケットは、柱の室内側側面に取り付けられるため、柱ブラケットが室内側に露出し、外観上体裁が悪く、外観品質が悪いという技術的課題があった。また柱支持ブラケットが室内側に突出しているため、床スペースが狭くなるという技術的課題があった。
【００１０】
本発明は、上記技術的課題を解決にするためになされたものであり、柱支持ブラケットが室内側に露出することがなく、床スペースを狭くしない折り畳み式ユニットハウスを提供することを目的とするものである。
【課題を解決するための手段】
【００１１】
本発明は、上記目的を達成するためになされたものであり、床フレームと、前記床フレームに回動可能に取り付けられた柱フレームと、前記柱フレームの上部に着脱可能に取り付けられた屋根フレームとからなる折り畳み式ユニットハウスにおいて、前記柱フレームを支持する柱支持部を床フレームに一体に設け、前記柱フレームの内部に柱支持部を収容すると共に、前記柱フレームが柱支持部に対して回動可能に取り付けられていることを特徴としている。
【００１２】
このように、柱フレームの内部に柱支持部を収容すると共に、前記柱フレームが柱支持部に対して回動可能に取り付けられているため、柱支持部が室内側に露出することがなく、外観品質を良好なものとすることができる。また柱支持部が室内側に露出していないため、床スペースを有効に活用することができる。
【００１３】
ここで、前記床フレームの外側側面に設けられたネジ孔と、前記柱フレームの外側側面に設けられた貫通孔と、前記ネジ孔と螺合するボルトとを備え、前記貫通孔を介して前記ボルトをネジ孔に螺合させることにより、起立状態の柱フレームを床フレームに固定することが望ましい。このように、柱フレームを床フレームに対してボルトで固定するため、柱フレームの起立状態を維持することができる。
【００１４】
また、屋根フレームに設けられたネジ孔と、前記床フレームのネジ孔、屋根フレームのネジ孔と螺合するボルトとを備え、折り畳まれた状態の柱フレームの上に屋根フレームを載置し、前記ボルトを屋根フレームのネジ孔に螺合させることにより、床フレームと屋根フレームとを一体化することが望ましい。
このように、柱フレームを起立状態に維持するボルトを用いて、床フレームと屋根フレームとを一体化することができるため、運搬を容易に行なうことができる。また、前記ボルトは、折り畳まれた状態、組み立てられた状態のいずれの状態においても用いられるため、ボルトの紛失を防止できる。
【発明の効果】
【００１５】
以上のように本発明によれば、柱支持ブラケットが室内側に露出しないため、外観品質がよく、しかも、床スペースを有効に利用できる折り畳み式ユニットハウスを得ることができる。
【発明を実施するための最良の形態】
【００１６】
本発明の折り畳み式ユニットハウスにかかる一実施形態を図１乃至図７に基づいて説明する。尚、図１は折り畳みユニットハウスの組み立て状態を示す斜視図であり、図２は、折り畳みユニットハウスの折り畳み状態を示す斜視図である。図３は床を示す図であって、（ａ）は平面図、（ｂ）は正面図、図４は柱支持部を示す図であって、（ａ）は正面図、（ｂ）は側面図、図５は柱支持部の横断面図、図６は柱支持部の縦断面図であって、折り畳み動作を説明するための図、図７は組み立て状態の一部側面図である。
【００１７】
図１において、符号１は床であって、前記床１の四隅には起倒可能に設けられた柱フレーム２が設けられている。また、前後の柱フレーム２，２の間には妻パネル３が設けられ、前記柱フレーム２に妻パネル３が固定され、一体として形成されている。また、前記床１に相対向して屋根フレーム４が配置されている。
また、前記床１は、図３に示すように前後左右の床フレーム１ｂと複数の根太１ｃとによって形成された床骨格１ａと、前記床骨格１ａ上に敷設された床パネル１ｄとを備えている。なお、図３中、床パネル１ｄは省略されている。
また、床骨格１ａの四隅には柱支持部５が設けられている。この柱支持部５は、前後の床フレーム１ｂと一体に形成されている。
更に、前後の床フレーム１ｂの中央よりの位置には、前後各２個合計４個のライナプレート１ｅが設けられている。 
【００１８】
また、前記柱支持部５には、図４に示すように、その前後方向に貫通した回転軸孔５ａが設けられ、前後の床フレーム１ｂの外側側面にはネジ孔１ｆが設けられている。そして、この柱支持部５は、図５に示すように、前記柱フレーム２の下端部内部に内装される。即ち、柱フレーム２の下端部は断面コ字状に形成されると共に、前記柱支持部５よりも大きな寸法に形成され、その内部に柱支持部５を収容可能にしている。
【００１９】
また、前記柱フレーム２の前側面には、回転軸６を挿通させる貫通孔２ａが形成されると共に、後側面には前記回転軸６の一端を固定するナット部２ｂが形成されている。また、前後の床フレーム１ｂの外側端面（側面）のネジ孔１ｆに対応して、柱フレーム２の外側側面に貫通孔２ｃが形成されている。
したがって、前記回転軸６を柱フレーム２の前方向から後方向に挿通させ、ナット部２ｂにその一端部を固定することによって、図６に示すように、柱フレーム２は回転軸６を中心として回転可能に柱支持部５に取り付けられる。
更に、前記柱フレーム２を含む妻パネル３が起立状態にある場合（図６に示す実線の場合）には、固定ネジ７を貫通孔２ｃを介して柱フレーム２のネジ孔１ｆに螺合させることにより、柱フレーム２を床フレーム１に固定することができる。
【００２０】
このように、柱支持部５を柱フレーム２の内部に収容したため、柱支持部５が室内側に露出することがなく、外観上体裁が良く、良好な外観品質を得ることができる。また、前記柱支持部５が柱フレーム２の室内側に突出しないため、床スペースを有効に活用することができる。
【００２１】
また、前記妻パネル３は、前後の柱２，２と上フレーム１０と下フレーム１１とからなる妻骨格に固着され、前記妻パネル３には適宜窓サッシ１２、あるいはドアサッシ等が設けられる。
また、前記柱２の上方部分には、後述する方づえ１３の先端部を固定するための方づえ固定部１４が設けられている。この方づえ固定部１４の上部には、妻パネル３を回動させて折畳んだ際、床骨格１ａのライナプレート１ｅに当接して、妻パネル３を床１と平行状態に保持するための水平だしストッパ１５が設けられている。
【００２２】
前記柱フレーム２の頂面には、屋根固定用ブラケット１６が設けられ、このブラケット１６を介して、柱フレーム２に屋根フレーム４が取り付けられる。また、屋根フレーム４の内側面には方づえ１３の基端部がボルト１７により回動可能に取付けられている。
この方づえ１３は、例えば角パイプ材により構成され、屋根フレーム５の下面に沿った格納位置にしっかりと固定された状態からボルト１７をゆるめて、ボルト１７を中心として回動させ、方づえ１３の一端部を方づえ固定部１４に固定できるように構成されている。
そして、前記ボルト１７を再び締付けることにより、屋根フレーム４、柱フレーム２とを結合した使用状態とすることができる。
【００２３】
このように構成された折り畳み式ユニットハウスにあっては、まず屋根フレーム４を柱フレーム２から取り外し、柱フレーム２を含む妻パネル３を回転軸６を中心として内側に折り畳み、床フレーム１上に重ね、その上に屋根フレーム５を重ね、床フレーム１と屋根フレーム５とを連結固定する。
この連結固定に際しては、図７に示すように、屋根フレーム５にナット固定部１８を設け、前記固定ネジ７を用いるのが良い。即ち、図６の仮想線で示すように、屋根フレーム５に設けられたナット固定部１８に、取り外された固定ネジ７を貫通孔２ｃから挿入し螺合させることにより、床フレーム１と屋根フレーム５とを連結一体化するのが良い。このように、妻３パネルを起立状態に固定する固定ネジ７を前記連結固定に用いているため、前記固定ネジ７の紛失を防止することができる。
【００２４】
そして、折り畳み状態では、柱フレーム２に設けた水平だしストッパ１５が床骨格１ａのライナプレート１ｅ上に当接し、妻パネル３は床フレーム１上に微少隙間をもって平行に重なった状態に保持される。
このように、ユニットハウスは折り畳まれるため、複数段積重ねて保管することができ、またトラック等に段積して運搬することができ、容易に、しかも効率よく、保管、運搬などを行なうことができる。
【００２５】
一方、建築現場では、先ずブロック材等の基礎台上におろし、固定ネジ７を外し、屋根フレーム４を吊り上げて安全な場所に移し、次に妻パネル３（柱フレーム２）を回転軸６を中心として回動させて起立させる。続いて、柱フレーム２の貫通孔２ｃに固定ネジ７を挿し込み、柱支持部５のネジ孔１ｆに螺合、固定する。
このようにして左右の妻パネル３を起立させた後、屋根フレーム５を載せ、柱フレーム２に設けた屋根固定用ブラケット１６と屋根フレーム４とをボルト（図示せず）にて締付固定する。続いて、ボルト１７を緩めて、方づえ１３をボルト１７を中心として回動させ、方づえ１３の一端部を固定部１４に固定する。
【００２６】
そして、更に、別途用意した桁パネル等（図示省略）を建て込み、ユニットハウスの組立てを終了する。尚、上記と同様にして他のハウスを前後につき合せて組立て、屋根フレームどうしと柱フレームどうしをそれぞれボルトで固定することにより、目的とする広さの部屋を構成しても良い。
また、従来のユニットハウスと同様に、柱フレーム２及び柱支持部５に起立状態保持用のピンを挿し込むためのピン穴を設け、前記ピン穴にピンを差し込むことによって、柱フレーム３が不用意に傾倒しないようになすことが好ましい。
【産業上の利用可能性】
【００２７】
以上のように本発明によれば、折り畳み式ユニットハウスにおいて有効に利用することができる。
【図面の簡単な説明】
【００２８】
【図１】図１は、本発明の畳みユニットハウスにかかる一実施形態の組み立て状態を示す斜視図である。
【図２】図２は、図１に示した折り畳みユニットハウスの折り畳み状態を示す斜視図である。
【図３】図３は床を示す図であって、（ａ）は平面図、（ｂ）は正面図である。
【図４】図４は柱支持部を示す図であって、（ａ）は正面図、（ｂ）は側面図である。
【図５】図５は、柱支持部の横断面図である。
【図６】図６は柱支持部の縦断面図であって、折り畳み動作を説明する図である。
【図７】図７は、組み立て状態の一部正面図である。
【図８】図８は、従来の折り畳みユニットハウスの組み立て状態を示すであって、室内側から見た一部正面図である。
【図９】図９は、従来の折り畳みユニットハウスの床を示す図であって、（ａ）は平面図、（ｂ）は正面図である。
【図１０】図１０は、従来の折り畳みユニットハウスの柱支持ブラケットを示す図であって、（ａ）は正面図、（ｂ）は側面図である。
【符号の説明】
【００２９】
１      床
１ｂ    床フレーム
１ｆ    ネジ孔
２      柱フレーム
２ａ    貫通孔
２ｃ    貫通孔
３      妻パネル
４      屋根フレーム
５      柱支持部
５ａ    回転軸孔
６      回転軸
７      固定ネジ
１３    方づえ
１８    ナット部
【図１】
2005248547.tif 000003
【図２】
2005248547.tif 000004
【図３】
2005248547.tif 000005
【図４】
2005248547.tif 000006
【図５】
2005248547.tif 000007
【図６】
2005248547.tif 000008
【図７】
2005248547.tif 000009
【図８】
2005248547.tif 000010
【図９】
2005248547.tif 000011
【図１０】
2005248547.tif 000012